(57)【特許請求の範囲】
【請求項１】
子供用の二段ベッドにおける上段のベッドの出入口に連結される水平台が設けられた昇降用部材としての滑り台付きはしご階段であって、
前記水平台は、所定の広さを有し且つ前記出入口に向かって左右両側にある程度の高さの手すりを備えることを特徴とする滑り台付きはしご階段。
【請求項２】
二段ベッドの支持体としての機能を有する、請求項１記載の滑り台付きはしご階段。
【請求項３】
前記滑り台には、所定の間隔で滑り抵抗のための複数の横線状の凸部が設けられている、請求項１又は２記載の滑り台付きはしご階段。
【請求項４】
前記滑り台は、そのカーブが下に近づくに従って滑らかな曲線を描くように構成されている、請求項１〜３の何れかに記載の滑り台付きはしご階段。
【請求項５】
前記水平台の広さは、横が３５〜４５ｃｍ、縦が２０〜３０ｃｍである、請求項１〜４の何れかに記載の滑り台付きはしご階段。
【請求項６】
前記水平台の位置は、前記二段ベッドを設置する床から１３０〜１５０ｃｍの高さとなる位置である、請求項１〜５の何れかに記載の滑り台付きはしご階段。
【発明の詳細な説明】
【技術分野】
【０００１】
本発明は、子供の自立心が高められ、落下防止等の安全性及び揺れや倒れを防止できる安定性を備えた機能性二段ベッドに使用される滑り台付きはしご階段に関し、詳しくは、上下段ベッドそれぞれが子供用のプライベート空間を確保できるようになされ、上段のベッドの出入口には、所定の広さを有する水平台を設けた昇降用部材が連結された機能性二段ベッドに使用される滑り台付きはしご階段に関する。
【背景技術】
【０００２】
従来から、二人の子供が一つの子供部屋を利用する場合、二段ベッドを設置することが多い。このような場合、子供のプライベート空間を確保する等の子供の自立に配慮した様々な提案がなされている。
【０００３】
例えば、共用の子供部屋を段階的に分離して個室化のため、自立心がスムースに育成される部屋空間の間仕切り構造の提供を目的としたものが挙げられる。具体的には、長矩形状で水平な一対の寝具載置台が上下に隔設され、かつ部屋空間の中央に配置された二段ベッドと、天井から上段の寝具載置台の間、上段の寝具載置台から下段の寝具載置台の間で、各々異なる側部に着脱可能に取り付けられる遮蔽体とを具え、前記遮蔽体は、反対側の気配が視覚により感知できる不全の遮蔽体、および反対側の気配が視覚により感知できない完全の遮蔽体を含んで、反対側の気配を視覚により感知できる程度が異なる複数種類のものが形成され、必要な遮断レベルに応じて選択された一の遮蔽体が、前記二段ベッドに取り付けられることを特徴とする部屋空間の間仕切り構造である（特許文献１）。
【０００４】
しかし、この構造では、二段ベッドを部屋空間の中央に配置する必要があり、子供部屋自体にある程度の大きさがないと実現できない。また、遮蔽体によりある程度のプライベート空間を確保できるものの、二段ベッドは単に寝具としての機能しか有していない。
【０００５】
また、子供用の二段ベッドに机と書棚等を配して作業空間機能を付したものが提案されている（特許文献２）。しかし、この構造は、二段ベッドの上段をベッド部とするとともに、下段を作業空間部とし、該作業空間部に机と書棚を配してなるベッドと机の組合せ家具である。この家具は、体格が大きい子供又は体格が小さい子供が使用するのに適した設置態様にすることが可能なものであるが、実質的には一人の子供が使用するためのものである。
【０００６】
また、二段ベッドには、通常、上下二段のうち上段への上り下り用にはしご階段が利用される。例えば、子供用二段ベッドの上段への上り下り用に使用されるはしご階段であって、両側板に他部材からなる手摺を付設することなく、側板を利用して手摺部を形成して、上り下り時に邪魔にならずしかも掴み易い手摺つきはしご階段が提供されている（特許文献３）。これは、両側版と複数の足踏み板からなるはしご階段において、両側版の少なくとも片方の側板の前辺面寄り部に、該前辺面と平行な単または複数の開口を形成し、この開口と前辺面との間を手摺部となしたものである。このようなはしご階段は、二段ベッドの上段にかけて設置されるが、その入り口付近が不安定な構造であると、落下の危険やベッド自体の安定性等の問題がある。
【先行技術文献】
【特許文献】
【０００７】
【特許文献１】特開２００７−６３７６９号公報
【特許文献２】特開２００８−６７８２０号公報
【特許文献３】特開２００６−１４９６４２号公報
【発明の概要】
【発明が解決しようとする課題】
【０００８】
そこで、本発明は、子供の自立心が高められるとともに、落下防止等の安全性及び揺れや倒れを防止できる安定性を備えた機能性二段ベッド及び該二段ベッドに用いる昇降用部材を提供することを目的とする。
【課題を解決するための手段】
【０００９】
本発明は、下記の発明を提供することにより、その目的を達成したものである。
１．子供用の二段ベッドにおける上段のベッドの出入口に連結される水平台が設けられた昇降用部材としての滑り台付きはしご階段であって、
前記水平台は、所定の広さを有し且つ前記出入口に向かって左右両側にある程度の高さの手すりを備えることを特徴とする滑り台付きはしご階段。
【００１０】
２．二段ベッドの支持体としての機能を有する、前記１記載の滑り台付きはしご階段。
【００１１】
３．前記滑り台には、所定の間隔で滑り抵抗のための複数の横線状の凸部が設けられている、前記１又は２記載の滑り台付きはしご階段。
【００１２】
４．前記滑り台は、そのカーブが下に近づくに従って滑らかな曲線を描くように構成されている、前記１〜３の何れかに記載の滑り台付きはしご階段。
【００１３】
５．前記水平台の広さは、横が３５〜４５ｃｍ、縦が２０〜３０ｃｍである、前記１〜４の何れかに記載の滑り台付きはしご階段。
【００１４】
６．前記水平台の位置は、前記二段ベッドを設置する床から１３０〜１５０ｃｍの高さとなる位置である、前記１〜５の何れかに記載の滑り台付きはしご階段。
【発明の効果】
【００１５】
本発明によれば、共用の子供部屋を使用する子供のプライバシーが保たれ、子供の自立心が高められるとともに、上段ベッドからの落下防止等の安全性及び二段ベッド自体の揺れや倒れを防止した安定性を確保できる。
特に、子供が一人用の部屋を持つことができない場合、兄弟姉妹で共用の部屋を使う場合であっても、各段のベッドが個室型ベッドであるため、プライバシーが保持できる。
【図面の簡単な説明】
【００１６】
【図１】本発明の一実施形態に係る機能性二段ベッドを正面及び右側面の側から示す斜視図である。
【図２】図１の二段ベッドを背面及右側面の側から示す斜視図である。
【図３】図１の二段ベッドを示す右側面図である。
【図４】図１の二段ベッドを示す左側面図である。
【図５】図１の二段ベッドに備えられた滑り台の拡大正面図である。
【図６】図１の二段ベッドに備えられた滑り台の拡大斜視図である。
【図７】図１の二段ベッドに備えられた昇降用部材の他の例の拡大斜視図である。
【図８】図１の二段ベッドの平面部材を省略して右側面側から見た上段の内部を示す概略斜視図である。
【図９】図１の二段ベッドの平面部材を省略して左側面側から見た上段の内部を示す概略斜視図である。
【発明を実施するための形態】
【００１７】
以下、本発明について、その好ましい実施形態に基づき詳細に説明する。
本発明の一実施形態に係る機能性二段ベッドを図１に示す。図１は、本実施形態に係る機能性二段ベッドを正面及び右側面の側から示す斜視図である。さらに、本実施形態に係る機能性二段ベッドの外観の全体構造を明らかにするために、背面及右側面の側から示す斜視図を図２に、右側面図を図３に、左側面図を図４にそれぞれ示す。
【００１８】
図１〜図４に示すように、本実施形態の機能性二段ベッド１０は、その外観からして美的なデザインの特徴をも有するもので、子供用のベッドとして一般的なものとは異なり、子供の日常生活における楽しさや親しみやすさを与えるものである。
【００１９】
本実施形態の機能性二段ベッド１０は、図１及び図２に示すように、矩形状の底面部材１としてのスノコ及びその四辺を囲む４つの各壁部材２を少なくとも備えた一のベッドを上下段に２つ組み合わせて構成されており、上下段ベッドそれぞれが子供用のプライベート空間を確保できるようになされている。上段のベッドの出入口３には、所定の広さを有する水平台４（水平板）を設けた昇降用部材５が連結されている。本実施形態では、昇降用部材５として、滑り台７が付いたはしご階段６が使用されている。また、上段ベッドの上部には、天井としての役目をする矩形板状の平面部材８が取り付けられている。本実施形態の機能性二段ベッド１０を設置する部屋の天井が上段ベッドに近接しているような場合は、平面部材８を取り付けない状態で使用することもできる。
【００２０】
このような構成からなる本実施形態の機能性二段ベッドは、子供の自立心が高められ、昇降の際に上段ベッドと連結された昇降用部材５における水平台４のある程度のスペースによって、やや大きめの出入口３を設けても落下防止等の安全性を保持できることとなる。さらには、地震等の際にも、かかる昇降用部材５としての滑り台７及びはしご階段６が二段ベッドを支持する支持体としての機能をも有し、これによりベッドの揺れや倒れを防止し安定な設置が可能となる。
【００２１】
各壁部材２には、複数の開口された窓２１，２２，２３が設けられている。本実施形態では、正面及び背面それぞれの壁部材２には、出入口３用の大きめの窓２２と、それより小さめの４つの窓２１が設けられている。正面及び背面それぞれの壁部材２における窓２１及び２２の形状は、いずれも上部が円形状で下部が方形状の縦長のものである。なお、上段ベッド及び下段ベッドそれぞれにおける出入口３用の窓２２の位置は、出入りの際の便宜からずらして設けられている。一方、右側面及び左側面それぞれの壁部材２には、上部が円形状で下部が方形状の１つの横長の窓２３が設けられている。
【００２２】
本実施形態に係る機能性二段ベッド１０は、その背面の壁部材２にも窓２２のほか大きめの窓２３が設けられているが、通常、部屋の壁際に背面を寄せて設置されるため、安全性は確保できる。
【００２３】
また、正面及び背面に位置する壁部材２には、窓２１，２２よりも低くかつ底面部材１としてのスノコがある位置よりも高い位置に、複数の開口された換気口２４が設けられている。本実施形態においては、かかる換気口２４と、底面部材１としてスノコを用いることにより、ベッド室内の通気性を良好に保つことができる。
【００２４】
昇降用部材５としての滑り台７が付いたはしご階段６は、二段ベッド１０の上段を使用する子供が上り下りする際に使用されるものである。滑り台７は、図５及び図６に示すように、滑り台７の上部には、水平台４が設けられており、子供がはしご階段６を昇って上段ベッドの出入口３から中に入る前に、また、出入口３から出て下へ降りる前に、それぞれゆっくりと安定した状態を保持できるようになっている。これにより、子供がベッドの下へ落下することを防止できる。水平台４の広さは、横（出入口３の幅相当）が３５〜４５ｃｍ、縦（出入口３に向けての奥行き）が２０〜３０ｃｍであることが好ましく、例えば横４０ｃｍ・縦２５ｃｍ程度が安全性・安定性の点でより好適である。また、かかる滑り台７が付いたはしご階段６を取り付けたことで、地震等の際でも二段ベッド１０の揺れや倒れを防止でき安定性を確保できる。
水平台４の位置（機能性二段ベッドを設置する床からの高さ）としては、１３０〜１５０ｃｍ、特に１３５〜１４５ｃｍであることが好ましい。
【００２５】
図６に示すように、水平台４及び滑り台７には、子供が安全に滑れるように、左右両側にある程度の高さの手すり７１が設けられている。また、子供が滑りすぎて着地の際に怪我等をしないように、滑り台７のカーブは下に近づくに従って滑らかな曲線を描くように構成され、所定の間隔で滑り抵抗のための複数の横線状の凸部７２が設けられている。
【００２６】
また、他の実施形態として、昇降用部材５としての上述の滑り台７付きはしご階段６に変えて、図７に示すような、滑り台のないはしご階段５１に変更することもできる。
【００２７】
図７に示すはしご階段５１は、前記の滑り台７付きのはしご階段６と同様に、最上段に水平台４が設けられ出入口３に連結されている。また、はしご階段５１は、１段ごとに安定性のある広さの階段板５２が用いられ、それらの両端を奥行きが階段板５２の幅よりも長い、手前側波状の手すり５３が取り付けられて構成されている。さらに、手すり５３の上部には、複数の円状孔からなる把持部５４が設けられている。はしご階段５１により、より安全に昇降することができる。はしご階段５１が備える水平台４の広さは、横（出入口３の幅相当）が３５〜４５ｃｍ、縦（出入口３に向けての奥行き）が２０〜３０ｃｍであることが好ましく、例えば横４０ｃｍ・縦２５ｃｍ程度が安全性・安定性の点でより好適である。
【００２８】
このような昇降用部材５としてのはしご階段５１を備えた構成からなる機能性二段ベッドでも、昇降の際に上段ベッドと連結された水平台４のある程度のスペースによって、やや大きめの出入口３を設けても落下防止等の安全性を保持でき、さらには、地震等の際にも、かかる昇降用部材５としてのはしご階段５１が二段ベッドを支持する支持体としての機能をも有し、これによりベッドの揺れや倒れを防止し安定な設置が可能となる。
【００２９】
図８に示すように、本実施形態に係る機能性二段ベッド１０の上下段の各ベッドの一の端部には、学習机９１、書棚９２、電気スタンド９３を含む作業部材９を備えている。作業部材９を備えることにより、単に寝室としてのみならず、子供の自立心を育てることができる個室空間としての機能がある。また、かかる作業部材９においては、子供が学校の宿題のほか、趣味等に打ち込むこともできる。学習机９１及び書棚９２は、折りたたみ式又はスライド移動式のものにすれば、作業以外の時間に邪魔にならないよう収納等可能にすることもできる。
【００３０】
ベッドの内部における各窓及び出入口３の上部位置には、カーテンレール９４が取り付けられており、必要に応じてカーテン９５を設けることもできる。
【００３１】
図９に示すように、ベッドの内部の作業部材９とは反対側の端部には、収納ケース９６が備えられている。本実施形態に係る機能性二段ベッドにおいては、必要に応じて、その他の部材を付加することができる。
【００３２】
本実施形態に係る機能性二段ベッドにおいては、上段及び下段の各ベッドの空間の高さは、それぞれ１００〜１２０ｃｍ程度、特に１０５〜１１５ｃｍであることが好ましい。
【００３３】
以上、詳述したとおり、本発明においては、前述の各実施形態を好ましい実施形態とするが、これに制限されるものではなく、本発明の趣旨を逸脱しない限り、適宜に変更形態とすることができる。
【符号の説明】
【００３４】
１０…機能性二段ベッド
１…底面部材（スノコ）
２…壁部材
２１，２２，２３…窓
２４…換気口
３…出入口
４…水平台
５…昇降用部材
６…はしご階段
７…滑り台
７１…手すり
７２…横線状の凸部
５１…はしご階段
５２…階段板
５３…手すり
５４…把持部
８…平面部材
９…作業部材
９１…学習机
９２…書棚
９３…電気スタンド
９４…カーテンレール
９５…カーテン
９６…収納ケース
【要約】      （修正有）【課題】子供の自立心が高められるとともに、落下防止等の安全性、及び、揺れや倒れを防止できる安定性を備えた機能性二段ベッドに使用される滑り台付きはしご階段を提供する。【解決手段】滑り台７付きはしご階段６は、子供用の二段ベッドにおける上段のベッドの出入口３に連結される水平台４が設けられたものであって、水平台４は、所定の広さを有し、且つ、上段のベッドの出入口３に向かって左右両側に手すり７１を備えている。【選択図】図６【図１】
0005905986.tif 000002
【図２】
0005905986.tif 000003
【図３】
0005905986.tif 000004
【図４】
0005905986.tif 000005
【図５】
0005905986.tif 000006
【図６】
0005905986.tif 000007
【図７】
0005905986.tif 000008
【図８】
0005905986.tif 000009
【図９】
0005905986.tif 000010